(57)【要約】【課題】更なる低床化が可能な排水トラップを提供する。【解決手段】浴槽１１の底部に設けられた排水部の下流側に設けられ、下方側へ延設された部位と当該下方側へ延設された部位の下端から水平方向へ延設された部位とを有する第１流路部２１Ｃと、第１流路部２１Ｃの下流側に設けられ、第１流路部２１Ｃの下流側端部に対して斜め上方に延設された第２流路部２１Ｄと、第２流路部２１Ｄの下流側に設けられ、第２流路部２１Ｄの下流側端部に対して斜め下方側へ延設された部位を有する第３流路部２１Ｅと、を有する第１排水トラップ２１。【選択図】図６
2020029707.tif 000002
【特許請求の範囲】
【請求項１】
水回り器具の底部に設けられた排水部の下流側に設けられ、下方側へ延設された部位と当該下方側へ延設された部位の下端から水平方向へ延設された部位とを有する第１流路部と、
前記第１流路部の下流側に設けられ、前記第１流路部の下流側端部に対して斜め上方に延設された第２流路部と、
前記第２流路部の下流側に設けられ、前記第２流路部の下流側端部に対して斜め下方側へ延設された部位を有する第３流路部と、
を有する排水トラップ。
【請求項２】
前記第３流路部の下流側には、水平方向に延設された第４流路部が設けられ、
前記第２流路部と前記第４流路部との下端の高さは同一とされている、
請求項１記載の排水トラップ。
【請求項３】
前記第１流路部には、下方側へ向かって突出された壁部が設けられている、
請求項１又は請求項２記載の排水トラップ。
【請求項４】
前記第３流路部には、上方側へ向かって突出された越流部が設けられている、
請求項１〜請求項３のいずれか一項に記載の排水トラップ。
【請求項５】
前記第２流路部より下流側には、通気管が接続されている、
請求項１〜請求項４のいずれか一項に記載の排水トラップ。
【請求項６】
前記通気管は、前記第３流路部における前記越流部の上端部より高い位置にて水平に接続されている、
請求項４を引用する請求項５に記載の排水トラップ。
【発明の詳細な説明】
【技術分野】
【０００１】
本開示は、排水トラップに関する。
【背景技術】
【０００２】
下記特許文献１には、排水構造、シャワー室の排水構造、洗濯機用防水パンの排水構造が開示されている。この排水構造では、排水トラップの上端より低い位置に洗い場の床面を配置している。これにより、洗い場の低床化を図ることができる。
【先行技術文献】
【特許文献】
【０００３】
【特許文献１】特開２０１０−５９６５４号公報
【発明の概要】
【発明が解決しようとする課題】
【０００４】
ところで、更なる低床化を図る場合は、配管の径が従来の勾配配管よりも小さいサイホン排水管を適用することが考えられるが、サイホン排水管に従来の構造の排水トラップを適用しても、排水トラップ内に封水を溜めるためにはある程度の高さが必要であり、この高さに応じて床下空間を確保する必要がある。このため、更なる低床化が難しかった。
【０００５】
本発明は、更なる低床化が可能な排水トラップを提供することを目的とする。
【課題を解決するための手段】
【０００６】
請求項１に記載の発明に係る排水トラップは、水回り器具の底部に設けられた排水部の下流側に設けられ、下方側へ延設された部位と当該下方側へ延設された部位の下端から水平方向へ延設された部位とを有する第１流路部と、前記第１流路部の下流側に設けられ、前記第１流路部の下流側端部に対して斜め上方に延設された第２流路部と、前記第２流路部の下流側に設けられ、前記第２流路部の下流側端部に対して斜め下方側へ延設された部位を有する第３流路部と、を有している。
【０００７】
請求項１に記載の発明によれば、排水トラップは、第１流路部、第２流路部及び第３流路部を有している。第１流路部は、水回り器具の底部に設けられた排水部の下流側に設けられかつ下方側へ延設された部位と当該下方側へ延設された部位の下端から水平方向に延設された部位とを有する構成とされている。第２流路部は、第１流路部の下流側に設けられかつ第１流路部の下流側端部に対して斜め上方に延設されている。第３流路部は、第２流路部の下流側に設けられかつ第２流路部の下流側端部に対して斜め下方側へ延設された部位を有している。したがって、排水トラップは、部分的に上方側へ突出した凸状とされている。これによって、第１流路部及び第２流路部内に封水を溜めておくことができる。つまり、流路自体に形成される簡易な形状の封水溜まりの内部に封水を溜めておくことができるので、排水トラップの構造を簡素化して排水トラップの設置に必要な空間を少なくすることができる。
【０００８】
請求項２に記載の発明に係る排水トラップは、請求項１記載の発明において、前記第３流路部の下流側には、水平方向に延設された第４流路部が設けられ、前記第２流路部と前記第４流路部との下端の高さは同一とされている。
【０００９】
請求項２に記載の発明によれば、第４流路部は、第３流路部の下流側に設けられかつ水平方向に延設されており、第２流路部と第４流路部との下端の高さは同一とされていることから、第２流路部と第４流路部とを床スラブ上に配置することができる。したがって、第４流路部の下流側にサイホン排水管を接続した場合に、サイホン排水管を床スラブ上に這わせて敷設させることができるので、施工性を向上させることができる。
【００１０】
請求項３に記載の発明に係る排水トラップは、請求項１又は請求項２に記載の発明において、前記第１流路部には、下方側へ向かって突出された壁部が設けられている。
【００１１】
請求項３に記載の発明によれば、第１流路部には、下方側へ向かって突出された壁部が設けられているので、凸状に形成された排水トラップの凸部の上方への突出量が小さい場合でも排水トラップの封水が破られるのを抑制することができる。
【００１２】
請求項４に記載の発明に係る排水トラップは、請求項１〜請求項３のいずれか一項に記載の発明において、前記第３流路部には、上方側へ向かって突出された越流部が設けられている。
【００１３】
請求項４に記載の発明によれば、第３流路部には、上方側へ向かって突出された越流部が設けられているので、凸状に形成された排水トラップの凸部の上方への突出量が小さい場合でも排水トラップの封水が破られるのを抑制することができる。
【００１４】
請求項５に記載の発明に係る排水トラップは、請求項１〜請求項４のいずれか一項に記載の発明において、前記第２流路部より下流側には、通気管が接続されている。
【００１５】
請求項５に記載の発明によれば、第２流路部より下流側には、通気管が接続されていることから、他の水回り器具との同時排水など、排水トラップに負圧が生じた場合に、通気管から外気が取り込まれるので、排水トラップの封水が破られるのを抑制することができる。
【００１６】
請求項６に記載の発明に係る排水トラップは、請求項４を引用する請求項５に記載の発明において、前記通気管は、前記第３流路部における前記越流部の上端部より高い位置にて水平に接続されている。
【００１７】
請求項６に記載の発明によれば、通気管は、第３流路部における越流部の上端部より高い位置にて水平に接続されていることから、封水溜まりから離れた位置にて通気管が排水トラップに接続されている。つまり、床下空間における封水溜まりがある箇所以外の空間に余裕がある箇所にて通気管を排水トラップに接続することができる。また、通気管が水平に接続されていることで、床下空間の高さをより小さくすることができる。
【発明の効果】
【００１８】
本発明に係る排水トラップによれば、更なる低床化を実現することができる。
【図面の簡単な説明】
【００１９】
【図１】第１実施形態に係るサイホン排水システムの概要を示す断面図である。
【図２】第１実施形態に係る排水構造の概略を示す斜視図である。
【図３】第１実施形態に係る排水構造において、浴槽からの排水時の初期段階を示す断面図である。
【図４】サイホン力発生後の排水状態を示す断面図である。
【図５】第１実施形態に係る排水構造において、洗い場からの排水状態を示す断面図である。
【図６】第１実施形態に係る排水構造の第１排水トラップを示す断面図である。
【図７】（Ａ）は比較例に係る排水構造の第１排水トラップ及び排水管を示す平面図及び断面図であり、（Ｂ）は第１実施形態に係る排水構造の第１排水トラップ及び排水管を示す平面図及び断面図である。
【図８】第１実施形態における排水構造において、浴槽のエプロンを着脱可能とした構成を示す分解斜視図である。
【図９】第１実施形態の変形例に係る排水構造の第１排水トラップを示す断面図である。
【図１０】第２実施形態に係る排水構造を模式的に示す斜視図である。
【図１１】第３実施形態に係る排水構造を模式的に示す斜視図である。
【図１２】第４実施形態に係る排水構造を模式的に示す斜視図である。
【図１３】参考例１に係る排水構造を模式的に示す斜視図である。
【図１４】参考例２に係る排水構造を模式的に示す斜視図である。
【図１５】第５実施形態に係る排水構造を示す断面図である。
【図１６】第６実施形態に係る排水構造を示す断面図である。
【図１７】第７実施形態に係る排水構造の第１排水トラップを示す断面図である。
【図１８】第７実施形態に係る排水構造の第１排水トラップを示す平面図である。
【図１９】第８実施形態に係る排水構造の第１排水トラップを示す断面図である。
【図２０】第８実施形態に係る排水構造の第１排水トラップを示す平面図である。
【発明を実施するための形態】
【００２０】
以下、本発明を実施するための形態を図面に基づき説明する。
【００２１】
［第１実施形態］
図１において、本実施形態に係るサイホン排水システム１０は、排水立て管１４と、排水構造１６とを有している。
【００２２】
排水立て管１４は、建物１５の床スラブ２４の貫通穴２５を貫通している。この排水立て管１４には、後述する竪管３１Ｂ，３２Ｂを連結する排水継手２８が設けられており、上部の排水立て管１４からの排水と、後述する浴槽１１や洗い場１２等の水廻り器具からの排水とを合流させるように構成されている。なお、以下の説明にて使用する各図では、配管構造を分かり易く説明するため、管継手等、各配管、各配管の接続部分の構成及び配管の方向等が適宜省略及び簡略化されて示されている。
【００２３】
（排水構造）
排水構造１６は、水廻り器具の一例たる浴槽１１と、水廻り器具の一例たる洗い場１２と、排水トラップとしての第１排水トラップ２１と、第２排水トラップ２２と、通気管としての第１バイパス管１８と、第１サイホン排水管３１と、第２サイホン排水管３２とを有している。
【００２４】
浴槽１１は、水２０を貯めて使用される第１の水廻り器具の一例であり、排水が、貯水後に排水される溜め流し排水となる。洗い場１２は、第２の水廻り器具の一例であり、排水が、貯水のない連続排水となる。浴槽１１と洗い場１２は、間隙Ｓを空けて互いに隣り合っている。浴槽１１と洗い場１２とは、図示されるように互いに一体であってもよく、また互いに別体であってもよい。
【００２５】
第１排水トラップ２１及び第２排水トラップ２２は、汚臭やガス等の逆流を防止するためのいわゆる封水式トラップである。第１排水トラップ２１は、浴槽１１の排水部４１に設けられている。第２排水トラップ２２は、洗い場１２の排水部４２に設けられている。
【００２６】
図２に示されるように、第１バイパス管１８は、第１排水トラップ２１の下流側部位の一例たる排水管５１と、第２排水トラップ２２の下流側部位の一例たる排水管５２とを接続する管体である。第１バイパス管１８は、浴槽１１と洗い場１２との間の間隙Ｓ（図１参照）に、通常使用時に使用者からは見えないように設けられている。第１バイパス管１８を間隙Ｓに設けることで、スペースを有効利用できる。
【００２７】
図３に示されるように、第１バイパス管１８における管路の少なくとも一部、例えば最上部１８Ｈは、第１排水トラップ２１及び第２排水トラップ２２の双方よりも上方に位置している。ここで、「第１排水トラップ２１及び第２排水トラップ２２の双方よりも上方」とは、第１排水トラップ２１の上面２１Ａより上方、かつ第２排水トラップ２２の上面２２Ａより上方を意味する。第１バイパス管１８は、例えば逆Ｕ字形に形成され、第１排水トラップ２１側の縦管部１８Ａと、第２排水トラップ２２側の縦管部１８Ｂと、縦管部１８Ａ，１８Ｂの接続部１８Ｄとを有している。接続部１８Ｄは、例えば水平方向に延びている。最上部１８Ｈとは、この管路の底面であり、該底面が、第１排水トラップ２１及び第２排水トラップ２２の双方よりも上方に位置している。接続部１８Ｄにおける管路の底面の高さが一定でない場合には、最も高い位置が最上部１８Ｈとなる。なお、第１バイパス管１８の管路の少なくとも一部として、最上部１８Ｈを挙げたが、最上部１８Ｈ以外の部位が、第１排水トラップ２１及び第２排水トラップ２２の双方よりも上方に位置していてもよい。
【００２８】
排水管５１は、第１排水トラップ２１から横方向に延び第１バイパス管１８の縦管部１８Ａに合流する上横管部５１Ａと、縦管部１８Ａの下端から下方へ延びる縦管部５１Ｂと、縦管部５１Ｂの下端から横方向に延びる下横管部５１Ｃとを有している。同様に、排水管５２は、第２排水トラップ２２から横方向に延び第１バイパス管１８の縦管部１８Ｂに合流する上横管部５２Ａと、縦管部１８Ｂの下端から下方へ延びる縦管部５２Ｂと、縦管部５２Ｂの下端から横方向に延びる下横管部５２Ｃとを有している。なお、排水管５１，５２の構成はこれに限られず、第１排水トラップ２１及び第２排水トラップ２２からそれぞれ排水可能な構成であればよい。
【００２９】
第１バイパス管１８には、吸気弁３０が設けられている。この吸気弁３０は、外部からの空気を第１バイパス管１８へ通過させると共に、第１バイパス管１８から外部へ排水及び空気を通過させないための部品である。吸気弁３０は、例えば縦管部１８Ａの延長部１８Ｃの上端に設けられている。この延長部１８Ｃを含めると、第１バイパス管１８はｈ字を反転させた鏡文字の形に形成されているともいえる。第１バイパス管１８を反対側から見ると、ｈ字形となる。なお、吸気弁３０は、第１バイパス管１８における接続部１８Ｄに設けられていてもよい。また、延長部１８Ｃ及び吸気弁３０を縦管部１８Ｂの上方に設けてもよい。
【００３０】
第１バイパス管１８における管路の最上部１８Ｈの高さ位置は、浴槽１１に貯められた水２０の標準的な水頭Ｈの高さ位置と同等以上であることが望ましい。水頭Ｈの基準は、例えば、浴槽１１の底である。標準的な水頭Ｈとは、人の入浴時に浴槽１１内に貯めるお湯の量に相当し、例えば人が浴槽１１内で座ったときに浴槽１１から溢れない程度のお湯の量に相当する。最上部１８Ｈは、第１バイパス管１８における縦管部１８Ａ，１８Ｂ間で越流が生じない最大の高さであり、接続部１８Ｄの底面の高さに相当する。
【００３１】
図２において、第１サイホン排水管３１は、第１排水トラップ２１及び第１バイパス管１８の下流側に接続されている。また、第２サイホン排水管３２は、第２排水トラップ２２及び第１バイパス管１８の下流側に接続されている。
【００３２】
具体的には、第１サイホン排水管３１は、排水管５１の下横管部５１Ｃの末端に接続されている。また、図１において、第１サイホン排水管３１は、排水を横方向へ流す横引き管３１Ａと、排水立て管１４に接続され横引き管３１Ａからの排水を下方へ流す竪管３１Ｂとを有している。また、第２サイホン排水管３２は、排水を横方向へ流す横引き管３２Ａと、排水立て管１４に接続され横引き管３２Ａからの排水を下方へ流す竪管３２Ｂとを有している。竪管３１Ｂ，３２Ｂの下端は、排水継手２８に接続されている。なお、第１サイホン排水管３１は、第２サイホン排水管３２の奥側に並列に配置されている。
【００３３】
図６に示されるように、第１排水トラップ２１は、排水部４１の下流側に設けられていると共に、管状に形成されている。具体的には、第１排水トラップ２１は、第１流路部２１Ｃと、第２流路部２１Ｄと、第３流路部２１Ｅと、第４流路部２１Ｆとを有している。第１流路部２１Ｃは、排水部４１に対応した位置、すなわち排水部４１の下方側に下方側へ向けて延設されていると共に、途中で水平方向に折れ曲がっている。具体的には、第１流路部２１Ｃは、下方側へ延設された部位２１ＣＣと、下方側へ延設された部位２１ＣＣの下端から水平方向に延設された部位２１ＣＢとで構成されており、水平方向に延設された部位２１ＣＢは、床スラブ２４（図１参照）上に載置されている。つまり、第１流路部２１Ｃは、第１排水トラップ２１における浴槽１１側の端部２１ＣＡから、水平方向に延設された部位２１ＣＢと第２流路部２１Ｄとの境界Ｂ１までの間の範囲とされている。
【００３４】
第２流路部２１Ｄは、第１流路部２１Ｃの下流側に隣接して設けられており、第１流路部２１Ｃの下流側端部（水平方向に延設された部位２１ＣＢ）に対して斜め上方に延設されている。つまり、第２流路部２１Ｄは、境界Ｂ１から、斜め上方に延設された部位と第３流路部２１Ｅの水平方向へ延設された部位との境界Ｂ２までの間の範囲とされている。
【００３５】
第３流路部２１Ｅは、第２流路部２１Ｄの下流側に隣接して設けられており、水平方向に延設された部位２１ＥＡと、第２流路部２１Ｄの下流側端部（水平方向に延設された部位２１ＥＡ）に対して斜め下方側へ延設された部位２１ＥＢとを有している。第３流路部２１Ｅにおける水平方向に延設された部位２１ＥＡは、第２流路部２１Ｄとの境界Ｂ２から水平方向に延設されており、床スラブ２４（図１参照）に対して離間されている。第３流路部２１Ｅにおける斜め下方側へ延設された部位２１ＥＢは、水平方向に延設された部位２１ＥＡから斜め下方側、すなわち床スラブ２４側へ向けて延設されている。つまり、第３流路部２１Ｅは、境界Ｂ２から、斜め下方側へ延設された部位２１ＥＢと第４流路部２１Ｆのとの境界Ｂ３までの範囲とされている。
【００３６】
第４流路部２１Ｆは、第３流路部２１Ｅの下流側に隣接して設けられており、水平方向に延設されて床スラブ２４（図１参照）上に載置されている。つまり、第４流路部２１Ｆは、境界Ｂ３から、第１サイホン排水管３１が接続された端部までの範囲とされている。また、第４流路部２１Ｆと、第２流路部２１Ｄとの下端は、同一の高さとされており、それぞれ床スラブ２４上に載置されている。換言すると、第１排水トラップ２１は、排水管５１が一体となった構成とされている。
【００３７】
上述の構成により、第１排水トラップ２１は、部分的に上方側へ向けた凸部２３を有している。この凸部２３内の第１流路部２１Ｃ側に封水溜まり２１Ｇが形成される。
【００３８】
第１排水トラップ２１における第１流路部２１Ｃの浴槽１１側の開口は、上方側（上流側）が下方側（下流側）に対して拡径されている。換言すると、第１排水トラップ２１の浴槽１１側の開口は、それ以外の部位に対して径方向外側へ張り出されている。また、図７（Ａ）に示されるように、一般的な排水管５１は、径寸法が第１排水トラップ２１の径寸法より細く設定されている。これに対し、本実施形態の第１排水トラップ２１の径寸法は、図７（Ｂ）に示されるように、浴槽１１の近傍、すなわち排水部４１に対応した部位である拡径された部位の寸法に近い径寸法が下流側へ略一定に続くように設定されており、一般的な排水管５１よりも太く設定されている。
【００３９】
図６に示されるように、第１排水トラップ２１の凸部２３における底部２１ＥＣの上方へ延設された部位、すなわち第２流路部２１Ｄの頂点に水平に延設された第３流路部２１Ｅの水平方向に延設された部位２１ＥＡには、越流部として第１トラップ壁２１ＥＤが形成されている。この第１トラップ壁２１ＥＤは、上流側から下流側へ向かう方向を板厚方向とすると共に、水平方向に延設された部位２１ＥＡ内にて上方側へ向けて突出されている。なお、第１トラップ壁２１ＥＤが設けられている第３流路部２１Ｅの水平方向に延設された部位２１ＥＡは、第１流路部２１Ｃの下流側端部（水平方向に延設された部位２１ＣＢ）に対して斜め上方に延設された部位に設けられていることで、第１流路部２１Ｃの水平方向に延設された部位２１ＣＢに対して高い位置に設けられている。つまり、第１トラップ壁２１ＥＤの根元部は、第１流路部２１Ｃの水平方向に延設された部位２１ＣＢの底壁に対してそもそも高い位置に設けられている。これにより、封水溜まり２１Ｇ内に必要とする封水の量を確保することができる。
【００４０】
一方、第１排水トラップ２１の第１トラップ壁２１ＥＤより上流側の上部には、壁部としての第２トラップ壁２１ＣＤが形成されている。この第２トラップ壁２１ＣＤは、上流側から下流側へ向かう方向を板厚方向とすると共に、上部から下方側へ向けて突出されている。なお、第１トラップ壁２１ＥＤ及び第２トラップ壁２１ＣＤのそれぞれの突出量は、第１排水トラップ２１の下流側等からの気圧の変動により封水破れが起こらない程度に設定されている。
【００４１】
第１バイパス管１８は、第１排水トラップ２１の凸部２３における封水溜まり２１Ｇより上方の部位に接続されている。具体的には、第１排水トラップ２１の凸部２３における第３流路部２１Ｅの斜め下方側へ延設された部位２１ＥＢの上方側に第１バイパス管１８が水平に接続されている。水平に接続された第１バイパス管１８は、洗い場１２と床スラブ２４（図１参照）との間を通り間隙Ｓ（図１参照）へと配設されている。
【００４２】
また、図７（Ｂ）に示されるように、第１排水トラップ２１の下流側の部位が一般的な排水管５１よりも太く設定されているため、第２トラップ壁２１ＣＤが形成された部位における流路Ｓの面積を一般的な太さの配管における流路Ｓ（図７（Ａ）参照）に比べて大きくできる。これにより、つまりを抑制することができる。
【００４３】
図８に示されるように、排水構造１６においては、洗い場１２の浴槽１１側の側面を構成するエプロン４０を着脱可能に構成してもよい。この場合、エプロン４０を取り外すことにより、排水構造１６のメンテナンスを容易に行うことが可能となる。
【００４４】
（実施形態の作用・効果）
本実施形態は、上記のように構成されており、以下その作用について説明する。図３において、本実施形態に係る排水構造１６では、浴槽１１からの排水は、貯水後に排水される溜め流し排水となるため、洗い場１２からの排水と比較して、多くの排水が一度に排水される。浴槽１１からの排水は、第１排水トラップ２１を通って排水管５１の上横管部５１Ａ、縦管部５１Ｂ、下横管部５１Ｃを通じて、第１サイホン排水管３１へ流れて行く（矢印Ａ方向）。第１サイホン排水管３１においてサイホン力が発生するまで、余剰の排水は第１バイパス管１８に流入する（矢印Ｂ方向）。第１バイパス管１８内の空気は、排水の流入に伴い第２排水トラップ２２側へ押し出される（矢印Ｃ方向）。
【００４５】
第１バイパス管１８は逆Ｕ字形に形成されており、管路の最上部１８Ｈが第１排水トラップ２１及び第２排水トラップ２２の双方よりも上方に位置するので、第１バイパス管１８に流入した排水は第２排水トラップ２２側には流れ難い。特に、第１バイパス管１８における管路の最上部１８Ｈの高さ位置が、浴槽１１に貯められた水の標準的な水頭Ｈの高さ位置と同等である場合には、縦管部１８Ａから縦管部１８Ｂへの越流は生じ難い。なお、第２排水トラップ２２の封水が破られない程度の越流は、生じてもよい。
【００４６】
図４において、第１サイホン排水管３１にサイホン力が発生すると、浴槽１１からの排水及び第１バイパス管１８に流入していた排水が、第１サイホン排水管３１を通じて速やかに排出され（矢印Ａ方向）、浴槽１１の水位が低下して行く（矢印Ｄ方向）。このとき、吸気弁３０から第１バイパス管１８に外気が取り込まれるので（矢印Ｅ方向）、第２排水トラップ２２側に負圧が作用することが抑制される。このため、第２排水トラップ２２の封水が破られることはない。
【００４７】
このように、排水構造１６によれば、従来のような一時貯留槽を用いなくても、浴槽１１からの溜め流し排水が洗い場１２へ溢れることを抑制できる。
【００４８】
一方、図５において、洗い場１２からの排水は、貯水のない連続排水となる。洗い場１２からの排水は、第２排水トラップ２２を通って排水管５２の上横管部５２Ａ、縦管部５２Ｂ、下横管部５２Ｃを通じて、第２サイホン排水管３２へ流れて行く（矢印Ｆ方向）。第１バイパス管１８における管路内の空気は、第１バイパス管１８を通じて第１排水トラップ２１側へ押し出されるので（矢印Ｇ方向）、洗い場１２からの排水がスムーズに行われる。連続排水の場合には水頭が殆どないため、第１バイパス管１８の縦管部１８Ｂに排水が流入しない。第２サイホン排水管３２にサイホン力が発生すると、洗い場１２からの排水が、第２サイホン排水管３２を通じて速やかに排出される（矢印Ｆ方向）。このとき、洗い場１２のみからの排水であれば、第１バイパス管１８に負圧が生じることは殆どないが、浴槽１１との同時排水時など、第１バイパス管１８に負圧が生じた場合には、吸気弁３０から外気が取り込まれるので、第１排水トラップ２１及び第２排水トラップ２２の封水が破られることはない。
【００４９】
図１において、本実施形態に係るサイホン排水システム１０では、第１サイホン排水管３１が有する横引き管３１Ａ及び竪管３１Ｂを通じて、浴槽１１からの排水を排水立て管１４へ流すことができる。また、このサイホン排水システム１０では、第２サイホン排水管３２が有する横引き管３２Ａ及び竪管３２Ｂを通じて、洗い場１２からの排水を排水立て管１４へ流すことができる。
【００５０】
図６に示されるように、排水トラップ２１は、第１流路部２１Ｃ、第２流路部２１Ｄ、第３流路部２１Ｅ及び第４流路部２１Ｆを有している。第１流路部２１Ｃは、浴槽１１の底部に設けられかつ下方側へ延設された部位２１ＣＣと当該下方側へ延設された部位２１ＣＣの下端から水平方向に延設された部位２１ＣＢとを有する構成とされている。第２流路部２１Ｄは、第１流路部２１Ｃの下流側に設けられかつ第１流路部２１Ｃの下流側端部に対して斜め上方に延設されている。第３流路部２１Ｅは、第２流路部２１Ｄの下流側に設けられかつ第２流路部２１Ｄの下流側端部に対して斜め下方側へ延設された部位を有している。第４流路部２１Ｆは、第３流路部２１Ｅの下流側に設けられかつ水平方向に延設されている。したがって、排水トラップ２１は、部分的に上方側へ突出した凸状とされている。これによって、第１流路部２１Ｃ及び第２流路部２１Ｄ内に封水を溜めておくことができる。つまり、流路自体に形成される簡易な形状の封水溜まり２１Ｇの内部に封水を溜めておくことができるので、排水トラップ２１の構造を簡素化して排水トラップ２１の設置に必要な空間を少なくすることができる。これにより、更なる低床化を実現することができる。
【００５１】
また、第２流路部２１Ｄと第４流路部２１Ｆとの下端の高さは同一とされていることから、第２流路部２１Ｄと第４流路部２１Ｆとを床スラブ２４（図１参照）上に配置することができる。したがって、第４流路部２１Ｆの下流側に第１サイホン排水管３１を接続した場合に、第１サイホン排水管３１を床スラブ２４上に這わせて敷設させることができるので、施工性を向上させることができる。
【００５２】
さらに、第１流路部２１Ｃには、下方側へ向かって突出された第２トラップ壁２１ＣＤが設けられているので、凸状に形成された排水トラップ２１の凸部２３の上方への突出量が小さい場合でも排水トラップ２１の封水が破られるのを抑制することができる。
【００５３】
さらにまた、第３流路部２１Ｅには、上方側へ向かって突出された第１トラップ壁２１ＥＤが設けられているので、凸状に形成された排水トラップ２１の凸部２３の上方への突出量が小さい場合でも排水トラップ２１の封水が破られるのを抑制することができる。
【００５４】
また、第２流路部２１Ｄより下流側には、第１バイパス管１８が接続されていることから、他の水回り器具との同時排水など、排水トラップ２１に負圧が生じた場合に、第１バイパス管１８から外気が取り込まれるので、排水トラップ２１の封水が破られるのを抑制することができる。
【００５５】
さらに、第１バイパス管１８は、第３流路部２１Ｅにおける第１トラップ壁２１ＥＤの上端部より高い位置にて水平に接続されていることから、封水溜まり２１Ｇから離れた位置にて第１バイパス管１８が排水トラップ２１に接続されている。つまり、床下空間における封水溜まり２１Ｇがある箇所以外の空間に余裕がある箇所にて第１バイパス管１８を排水トラップ２１に接続することができる。また、第１バイパス管１８が水平に接続されていることで、床下空間の高さをより小さくすることができる。
【００５６】
さらにまた、連通管２１Ｂは、下流側から上流側へ向かうに連れて拡径された略円筒状に形成されていることから、溜め流し排水により一時に多くの排水がある場合でも下流側へとスムーズに流すことができる。
【００５７】
このように、本実施形態に係る排水構造１６及びサイホン排水システム１０によれば、従来のような一時貯留槽が不要となるので、溜め流し排水が行われる浴槽１１等の設置場所の更なる低床化が可能となる。
【００５８】
［第１実施形態の変形例］
上述した実施形態では、第１排水トラップ２１の凸部２３における第３流路部２１Ｅの斜め下方側へ延設された部位２１ＥＢの上方側に第１バイパス管１８が水平に接続された構成とされているが、これに限らず、図９に示されるように、壁部１２Ａへ貫通された第４流路部２１Ｆに第１バイパス管１８が垂直に接続される構成としてもよい。
【００５９】
なお、上述した凸部２３は、第１排水トラップ２１に適用されているが、これに限らず、第２排水トラップ２２も第１排水トラップ２１と同一の構成としてもよい。
【００６０】
［第２実施形態］
図１０において、本実施形態に係る排水構造２６は、第１排水トラップ２１の下流側部位及び第２排水トラップ２２の下流側部位の少なくとも一方、例えば双方に、補助チャンバ７１，７２を有している。補助チャンバ７１は、第１排水トラップ２１の下流側部位に設けられている。補助チャンバ７２は、第２排水トラップ２２の下流側部位に設けられている。
【００６１】
補助チャンバ７１，７２は、例えば排水管５１，５２にそれぞれ設けられた大径部（内径拡大部）である。補助チャンバ７１，７２の高さ寸法は、従来の一時貯留槽よりも小さく設定されており、第１排水トラップ２１、第２排水トラップ２２及び排水管５１，５２の配置に必要な空間内に配置可能な大きさとされる。したがって、補助チャンバ７１，７２の設置のために床下空間を余分に必要とすることはない。
【００６２】
図示の例では、補助チャンバ７１，７２は何れも第１バイパス管１８の上流側に配置されているが、補助チャンバ７１，７２の何れか一方又は双方が、第１バイパス管１８の下流側に配置されていてもよい。
【００６３】
この排水構造２６では、補助チャンバ７１，７２により、第１バイパス管１８の容量を超えた余剰の排水を受け入れることができる。浴槽１１（図１）から汲み上げた水を洗い場１２（図１）で使用した場合、通常時よりも大量の水が洗い場１２から排出される。このような場合でも、補助チャンバ７１，７２で排水を受け入れることで、洗い場１２からの排水が滞ることを抑制できる。また、浴槽１１からの、より大量の溜め流し排水に対応することができる。
【００６４】
他の部分については、第１実施形態と同様であるので、同一の部分には図面に同一の符号を付し、説明を省略する。
【００６５】
［第３実施形態］
図１１において、本実施形態に係る排水構造３６では、第１バイパス管１８に、吸気弁３０（図２）の代わりとなる通気管７４が接続されている。通気管７４は、例えば建物の屋外まで延び、末端７４Ａが大気に開放されている。
【００６６】
この排水構造３６では、吸気弁３０（図２）の代わりに通気管７４が設けられているので、吸気弁３０の配置スペースが不要となる。
【００６７】
第１サイホン排水管３１にサイホン力が発生した際、通気管７４から第１バイパス管１８に外気が取り込まれるので、第２排水トラップ２２の封水が破られることはない。第２サイホン排水管３２にサイホン力が発生した際にも、通気管７４から第１バイパス管１８に外気が取り込まれるので、第１排水トラップ２１の封水が破られることはない。
【００６８】
他の部分については、第１実施形態と同様であるので、同一の部分には図面に同一の符号を付し、説明を省略する。
【００６９】
［第４実施形態］
図１２において、本実施形態に係る排水構造４６は、他の排水トラップ８３，８４と、サイホン排水管９３，９４と、個別通気管１０３，１０４と、ヘッダ８０と、合流通気管９０とを有している。
【００７０】
他の排水トラップ８３は、他の水廻り器具の一例たる洗濯機の排水部（図示せず）に対して設けられる。他の排水トラップ８４は、他の水廻り器具の一例たる洗面台に対して設けられる。他の排水トラップ８３，８４は、汚臭やガス等の逆流を防止するためのいわゆる封水式トラップである。
【００７１】
他の排水トラップ８３の下流側には、排水管１１３が接続されている。サイホン排水管９３は、排水管１１３の下流側に接続されている。また、他の排水トラップ８４の下流側には、排水管１１４が接続されている。サイホン排水管９４は、排水管１１４の下流側に接続されている。
【００７２】
個別通気管１０３は、一端が他の排水トラップ８３の下流側部位（排水管１１３）に接続されている。また、個別通気管１０４は、一端が他の排水トラップ８４の下流側部位（排水管１１４）に接続されている。個別通気管１０３，１０４の他端は、それぞれヘッダ８０に接続されている。
【００７３】
ヘッダ８０は、通気管７４及び個別通気管１０３，１０４が接続された管継手である。合流通気管９０は、ヘッダ８０に接続されると共に、大気に開放されている。具体的には、合流通気管９０は、例えば建物の屋外まで延び、末端９０Ａが大気に開放されている。
【００７４】
この排水構造４６では、吸気弁３０（図２）の代わりに通気管７４及び個別通気管１０３，１０４が設けられているので、吸気弁３０の配置スペースが不要となる。また、通気管７４及び個別通気管１０３，１０４をヘッダ８０に集合させ、合流通気管９０を通じて大気に開放する構成としている。したがって、通気管７４や個別通気管１０３，１０４をそれぞれ屋外まで延ばす必要がない。これにより、一括で吸排気ができると共に、通気管７４や個別通気管１０３，１０４を個々に大気に開放して配置する場合と比較して、部品点数を減らすことができる。
【００７５】
他の部分については、第１実施形態と同様であるので、同一の部分には図面に同一の符号を付し、説明を省略する。
【００７６】
［参考例１］
図１３において、本参考例に係る排水構造５６では、第１排水トラップ２１から延びる排水管５１の下流側に、第１サイホン排水管３１が接続されている。また、第２排水トラップ２２から延びる排水管５２の下流側に、第２サイホン排水管３２が接続されている。つまり、第１排水トラップ２１からの排水経路と、第２排水トラップ２２からの排水経路とが、互いに独立している。
【００７７】
したがって、第１排水トラップ２１からの溜め流し排水が行われても、その排水が第２排水トラップ２２側へ流入することはない。このため、浴槽１１からの溜め流し排水が洗い場１２へ溢れることを抑制できる（図１）。
【００７８】
他の部分については、第１実施形態と同様であるので、同一の部分には図面に同一の符号を付し、説明を省略する。
【００７９】
［参考例２］
図１４において、本参考例に係る排水構造６６は、参考例１において、吸気弁１１１，１１２が更に設けられている。排水管５１には、上方に延びる分岐管１２１が接続されている。吸気弁１１１は、該分岐管１２１の上端に設けられている。また、排水管５２には、上方に延びる分岐管１２２が接続されている。また、吸気弁１１２は、該分岐管１２２の上端に設けられている。吸気弁１１１，１１２の構成は、第１実施形態の吸気弁３０と同様である。
【００８０】
本参考例では、参考例１と同様に、第１排水トラップ２１からの溜め流し排水が行われても、その排水が第２排水トラップ２２側へ流入することはない。このため、浴槽１１からの溜め流し排水が洗い場１２へ溢れることを抑制できる（図１）。
【００８１】
排水管５１に吸気弁１１１が追加されているので、第１排水トラップ２１からの排水時には、吸気弁１１１から外気が取り込まれる。また、排水管５２に吸気弁１１２が追加されているので、第２排水トラップ２２からの排水時には、吸気弁１１２から外気が取り込まれる。したがって、第１排水トラップ２１からの排水、及び第２排水トラップ２２からの排水が、何れも流れ易くなる。
【００８２】
他の部分については、第１実施形態又は参考例１と同様であるので、同一の部分には図面に同一の符号を付し、説明を省略する。
【００８３】
［第５実施形態］
図１５において、本実施形態に係る排水構造８６は、第２バイパス管２１８を有している。この第２バイパス管２１８は、第１バイパス管１８の最上部より低い位置において第１バイパス管１８における第１排水トラップ２１側と第２排水トラップ２２側とを接続している。第２バイパス管２１８における管路の底面は、第２排水トラップ２２の上面２２Ａよりも低く配置されている。また、第２バイパス管２１８における管路の底面は、排水管５２の上横管部５２Ａの底面５２Ｄよりも高く配置されている。
【００８４】
第２バイパス管２１８は、例えば横方向に延びている。なお、第２バイパス管２１８は、水平方向に対して傾斜したり、湾曲していたりしてもよい。このように、第２バイパス管２１８における管路の底面の高さが一定でない場合には、底面のうち最も高い位置が、第２排水トラップ２２の上面２２Ａよりも低く、上横管部５２Ａの底面５２Ｄよりも高く配置されている。
【００８５】
第１バイパス管１８における例えば接続部１８Ｄには、第１逆止弁１９が設けられている。第１逆止弁１９は、第２排水トラップ２２側から第１排水トラップ２１側への流れを許容し、その反対側の流れを許容しないように構成されている。なお、第１逆止弁１９の位置は接続部１８Ｄに限られず、例えば縦管部１８Ｂに設けられていてもよい。また、第１逆止弁１９は、第１排水トラップ２１側から第２排水トラップ２２側への流れをある程度許容する構成であってもよい。
【００８６】
第２バイパス管２１８には、第２逆止弁２１９が設けられている。第２逆止弁２１９は、第２排水トラップ２２側から第１排水トラップ２１側への流れを許容し、その反対側の流れを許容しないように構成されている。なお、第２逆止弁２１９は、第１排水トラップ２１側から第２排水トラップ２２側への流れをある程度許容する構成であってもよい。
【００８７】
洗い場１２からの排水が第２排水トラップ２２に入りきらずに満水になるような場合でも、本実施形態によれば、余剰の排水は第２バイパス管２１８を通って排水管５１の縦管部５１Ｂ、下横管部５１Ｃを通じて、第１サイホン排水管３１（図１）へ流れて行く（矢印Ｈ方向）。本実施形態では、第２バイパス管２１８における管路の底面が、排水管５２の上横管部５２Ａの底面５２Ｄよりも高く配置されている。したがって、洗い場１２からの排水が常に第２バイパス管２１８へ流れることはなく、第２サイホン排水管３２が速やかに満流になるので、サイホン起動が遅くなることはない。
【００８８】
また、本実施形態では、第２バイパス管２１８における管路の底面が、第２排水トラップ２２の上面２２Ａよりも低く配置されている。したがって、第２排水トラップ２２から排水が溢れそうな場合に第２バイパス管２１８へ排水が流れるので、排水が第２排水トラップ２２から溢れることを抑制できる。
【００８９】
更に、第２バイパス管２１８に第２逆止弁２１９が設けられているので、第２バイパス管２１８を通じた第１排水トラップ２１側から第２排水トラップ２２側への流れが抑制される。また、第１バイパス管１８の接続部１８Ｄに第１逆止弁１９が設けられているので、浴槽１１からの排水時に、第１バイパス管１８を通じた第１排水トラップ２１側から第２排水トラップ２２側への流れ、つまり縦管部１８Ａから縦管部１８Ｂへの越流がより一層生じ難くなる。
【００９０】
他の部分については、第１実施形態と同様であるので、同一の部分には図面に同一の符号を付し、説明を省略する。
【００９１】
［第６実施形態］
図１６において、本実施形態に係る排水構造７６は、第５実施形態における第１バイパス管１８の第１逆止弁１９を省略した構成とされている。第１バイパス管１８では、第１実施形態で述べたように、最上部１８Ｈの高さの設定を適切に行うことにより、第１バイパス管１８における縦管部１８Ａ，１８Ｂ間で越流が生じないようにできる。したがって、本実施形態のように第１逆止弁１９を省略することで、構成を簡素化し、低コスト化が可能となる。
【００９２】
［第７実施形態］
図１７において、本実施形態に係る排水構造１３０は、第１排水トラップ１３２を有している。この第１排水トラップ１３２は、排水部４１の下流側に設けられていると共に、管状に形成されている。具体的には、第１排水トラップ１３２は、第１流路部１３２Ｃと、第２流路部１３２Ｄと、第３流路部１３２Ｅと、第４流路部１３２Ｆとを有している。第１流路部１３２Ｃは、排水部４１に対応した位置、すなわち排水部４１の下方側に設けられていると共に、途中で水平方向に折れ曲がっている。この第１流路部１３２Ｃの水平部分は、床スラブ２４（図１参照）上に載置されている。つまり、第１流路部１３２Ｃは、第１排水トラップ１３２における浴槽１１側の端部１３２ＣＡから、水平に延設された部位１３２ＣＢと第２流路部１３２Ｄとの境界Ｂ１までの間の範囲とされている。
【００９３】
第２流路部１３２Ｄは、第１流路部１３２Ｃの下流側に隣接して設けられており、第１流路部１３２Ｃの水平方向に延設された部位１３２ＣＢに対して斜め上方に延設されている。つまり、第２流路部１３２Ｄは、境界Ｂ１から、第２流路部１３２Ｄと第３流路部１３２Ｅとの境界Ｂ２までの間の範囲とされている。
【００９４】
第３流路部１３２Ｅは、第２流路部１３２Ｄの下流側に隣接して設けられており、斜め下方側へ延設されている。第３流路部１３２Ｅは、第２流路部１３２Ｄから斜め下方側、すなわち床スラブ２４側へ向けて延設されている。つまり、第３流路部２１Ｅは、境界Ｂ２から、第３流路部１３２Ｅと第４流路部１３２Ｆのとの境界Ｂ３までの範囲とされている。
【００９５】
第４流路部１３２Ｆは、第３流路部１３２Ｅの下流側に隣接して設けられており、水平方向に延設されて床スラブ２４（図１参照）上に載置されている。つまり、第４流路部１３２Ｆは、境界Ｂ３から、第１サイホン排水管３１が接続された端部までの範囲とされている。また、第４流路部２１Ｆと、第２流路部２１Ｄとの下端は、同一の高さとされており、それぞれ床スラブ２４上に載置されている。換言すると、第１排水トラップ１３２は、第１実施形態における排水管５１が一体となった構成とされている。
【００９６】
第１排水トラップ１３２の浴槽１１側の開口は、上方側（上流側）が下方側（下流側）に対して拡径されている。換言すると、第１排水トラップ１３２の浴槽１１側の開口は、それ以外の部位に対して径方向外側へ張り出されている。
【００９７】
第１流路部１３２Ｃには、凸部１３６が設けられている。凸部１３６は、第１流路部１３２Ｃの下方側へ延設された部位１３２ＣＣの側壁及び水平に延設された部位１３２ＣＢの上壁１３２Ｂ側とで形成されると共に、下方側へ延設された部位１３２ＣＣの側壁に沿うように下方側へ向かって突出されかつ先端部１３６Ａが第１流路部１３２Ｃの底壁１３２Ａと離間されている。
【００９８】
第１排水トラップ１３２における凸部１３６の下流側には、越流部１３８が設けられている。越流部１３８は、第１排水トラップ１３２の底壁１３２Ａにおける第２流路部１３２Ｄと第３流路部１３２Ｅとの境界Ｂ２に設けられており、上方側へ向かって突出されかつ先端部１３８Ａが凸部１３６の先端部１３６Ａより高い場所に位置している。すなわち、越流部１３８は、斜め上方側に延設された第２流路部１３２Ｄの頂点に設けられている。換言すると、凸部１３６と越流部１３８との間には、第１排水トラップ１３２の底壁１３２Ａに対し斜め上方側へ延設された傾斜部としての第２流路部１３２Ｄが設けられている。この第１排水トラップ１３２の第１流路部１３２Ｃと第２流路部１３２Ｄとの越流部１３８より低い部位に封水溜まり１４０が形成される。
【００９９】
図１８に示されるように、第１排水トラップ１３２における凸部１３６と越流部１３８とに対応した部位には、拡幅部１４２がそれぞれ形成されている。この拡幅部１４２は、平面視にて第１排水トラップ１３２の径方向外側に拡径された部位であり、凸部１３６と底壁１３２Ａとの間の流路の断面積及び越流部１３８と上壁１３２Ｂ（図６参照）との間の流路の断面積が、排水部４１の断面積と同一以上になるようにそれぞれ形成されている。
【０１００】
図１７に示されるように、第１バイパス管１８は、第１排水トラップ１３２の第２流路部１３２Ｄにおける封水溜まり１４０より上方の部位に水平に接続されている。
【０１０１】
本実施形態では、基本的な構成が第１実施形態と同一の構成とされているので、第１実施形態と同様の作用効果を得ることができる。また、第１排水トラップ１３２は、凸部１３６と越流部１３８との間に、第１排水トラップ１３２の底壁１３２Ａに対し斜め上方へ延設された第２流路部１３２Ｄが設けられていることから、第２流路部１３２Ｄも含めて封水を溜めることができる封水溜まり１４０を設けることができる。これにより、第１排水トラップ１３２を大型化することなく封水量を確保できるので、第１排水トラップ１３２の設置に必要な空間をより少なくすることができる。
【０１０２】
また、第１排水トラップ１３２内における凸部１３６の先端部１３６Ａと底壁１３２Ａとの間の流路の断面積が排水部４１の断面積と同一以上となるように形成されていることで、凸部１３６が設けられた部位においても流量を確保することができる。したがって、排水をスムーズに行うことができる。
【０１０３】
さらに、第１排水トラップ１３２内における越流部１３８の先端部１３８Ａと上壁１３２Ｂとの間の流路の断面積が排水部４１の断面積と同一以上になるように拡幅部１４２（図８参照）が形成されていることで、越流部１３８が設けられた部位においても流量を確保することができる。したがって、排水をスムーズに行うことができる。
【０１０４】
［第８実施形態］
図１９において、本実施形態に係る排水構造１５０は、第７実施形態に対して第１排水トラップ１５４の凸部１５２が第１排水トラップ１５４の上流側から下流側へ向かうに連れて突出量が徐々に大きくなるように形成されている。すなわち、凸部１５２は、第１流路部１３２Ｃの下方側へ延設された部位１３２ＣＣの側壁及び水平に延設された部位１３２ＣＢの上壁とで形成されると共に、第１排水トラップ１５４の上流側から下流側に向かうに連れて底壁１３２Ａ側への突出量が大きくされた湾曲面１５２Ａを有している。
【０１０５】
図２０に示されるように、第１排水トラップ１５４における凸部１５２と越流部１３８（図１９参照）との間の部位には、拡幅部１５６が形成されている。この拡幅部１５６は、平面視にて凸部１５２と越流部１３８との間を略一定に第１排水トラップ１５４の径方向外側へ拡径させた部位であり、凸部１５２と底壁１３２Ａとの間の流路の断面積及び越流部１３８と上壁１３２Ｂとの間の流路の断面積が、排水部４１の断面積と同一以上になるように形成されている。
【０１０６】
本実施形態では、基本的な構成が第７実施形態と同一の構成とされているので、第７実施形態と同様の作用効果を得ることができる。また、凸部１５２は、第１排水トラップ１５４における上流側から下流側へ向かうに連れて突出量が徐々に大きくなるように設定されていることから、排水が流れる際に凸部１５２に当たる排水をスムーズに凸部１５２の先端部１５２Ｂへと案内させることができる。つまり、排水時の抵抗を抑制することができる。
【０１０７】
さらに、拡幅部１５６が、平面視にて凸部１５２と越流部１３８との間を略一定に第１排水トラップ１５４の径方向外側へ拡径させるように形成されていることから、第１排水トラップ１５４内の封水の量を多くすることができる。これにより、封水破れを抑制することができる。
【０１０８】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【０１０９】
また、水廻り器具の一例として浴槽１１を挙げたが、水廻り器具は、洗濯機等、排水が溜め流しとなる器具であってもよい。また、その他の水廻り器具の一例として洗い場１２を挙げたが、その他の水廻り器具は、洗面台、台所、食洗機等、排水が連続排水となる器具であってもよい。
【０１１０】
第１バイパス管１８に吸気弁３０が設けられるものとしたが、第１排水トラップ２１や第２排水トラップ２２の封水が破られることがなければ、吸気弁３０を省略してもよい。
【符号の説明】
【０１１１】
１１・・・浴槽（水回り器具）、１２・・・洗い場（水回り器具）、１８・・・第１バイパス管（通気管）、２１・・・第１排水トラップ（排水トラップ）、２２・・・第２排水トラップ（排水トラップ）、２１Ｃ・・・第１流路部、２１ＣＤ・・・第２トラップ壁（壁部）、２１Ｄ・・・第２流路部、２１Ｅ・・・第３流路部、２１ＥＤ・・・第１トラップ壁（越流部）、２１Ｆ・・・第４流路部、４１・・・排水部、４２・・・排水部
【図１】
2020029707.tif 000003
【図２】
2020029707.tif 000004
【図３】
2020029707.tif 000005
【図４】
2020029707.tif 000006
【図５】
2020029707.tif 000007
【図６】
2020029707.tif 000008
【図７】
2020029707.tif 000009
【図８】
2020029707.tif 000010
【図９】
2020029707.tif 000011
【図１０】
2020029707.tif 000012
【図１１】
2020029707.tif 000013
【図１２】
2020029707.tif 000014
【図１３】
2020029707.tif 000015
【図１４】
2020029707.tif 000016
【図１５】
2020029707.tif 000017
【図１６】
2020029707.tif 000018
【図１７】
2020029707.tif 000019
【図１８】
2020029707.tif 000020
【図１９】
2020029707.tif 000021
【図２０】
2020029707.tif 000022